(57)【要約】【課題】第２蓋部が幅方向に大型化することを回避する。【解決手段】本明細書によって開示される端子カバー１０は、端子６０を内部に収容する端子カバー１０であって、第１開口２２を有し、端子６０のうち電線Ｗに接続される電線接続部（芯線接続部６２、被覆接続部６３）が配される第１収容部２０と、第１開口２２を閉止する第１蓋部３０と、第１開口２２に連なる第２開口４２を有し、端子６０のうち電線接続部以外の部分（ボルト締結部６１）が配される第２収容部４０と、第２開口４２を閉止する第２蓋部５０と、第１蓋部３０における第２蓋部５０と対向する第１対向縁（前縁３４）に設けられたロック受け部３５と、第２蓋部５０における第１蓋部３０と対向する第２対向縁（後縁５１）に設けられ、ロック受け部３５に係止することで第２開口４２を閉止した状態に保持するロック部５２とを備えた構成とした。【選択図】図３
2017168288.tif 000002
【特許請求の範囲】
【請求項１】
端子を内部に収容する端子カバーであって、
第１開口を有し、前記端子のうち電線に接続される電線接続部が配される第１収容部と、
前記第１開口を閉止する第１蓋部と、
前記第１開口に連なる第２開口を有し、前記端子のうち前記電線接続部以外の部分が配される第２収容部と、
前記第２開口を閉止する第２蓋部と、
前記第１蓋部における前記第２蓋部と対向する第１対向縁に設けられたロック受け部と、
前記第２蓋部における前記第１蓋部と対向する第２対向縁に設けられ、前記ロック受け部に係止することで前記第２開口を閉止した状態に保持するロック部とを備えた端子カバー。
【請求項２】
前記ロック部は、前記第２対向縁から前記第２収容部側に延出した後、前記第２蓋部側に折り返された形態をなす弾性片と、前記弾性片の自由端部から前記ロック受け部に沿って突出する形態をなす係止爪とを備えて構成されている請求項１に記載の端子カバー。
【請求項３】
前記第２収容部と前記第２蓋部は、第２ヒンジによって連結されており、
前記ロック部は、前記第１蓋部の外面を超えて外方に突出する形態をなす操作片を備え、前記操作片が前記第２ヒンジ側に変位することで前記ロック部と前記ロック受け部の係止が解除される請求項１または請求項２に記載の端子カバー。
【発明の詳細な説明】
【技術分野】
【０００１】
本明細書によって開示される技術は、端子カバーに関する。
【背景技術】
【０００２】
従来、端子を内部に収容する端子カバーとして、特開２０１２−１９０７０３号公報（下記特許文献１）に記載の端子保護カバーが知られている。この端子保護カバーは、端子金具を収容可能な収容凹部を有する本体部と、本体部を構成する第２本体部に連結された第２蓋部とを備えている。第２蓋部の幅方向両側壁の一方には、ロック突起を有するロックアームが設けられている。一方、第２本体部の幅方向両側壁の一方には、ロックアームのロック突起が係止可能なロック爪が設けられている。
【先行技術文献】
【特許文献】
【０００３】
【特許文献１】特開２０１２−１９０７０３号公報
【発明の概要】
【発明が解決しようとする課題】
【０００４】
しかしながら、上記の端子保護カバーでは、第２蓋部の側壁からロックアームが側方に突出しているため、第２蓋部が幅方向に大型化してしまう。同様に、第２本体部の側壁からロック爪が側方に突出しているため、第２本体部も幅方向に大型化してしまう。
【課題を解決するための手段】
【０００５】
本明細書によって開示される端子カバーは、端子を内部に収容する端子カバーであって、第１開口を有し、前記端子のうち電線に接続される電線接続部が配される第１収容部と、前記第１開口を閉止する第１蓋部と、前記第１開口に連なる第２開口を有し、前記端子のうち前記電線接続部以外の部分が配される第２収容部と、前記第２開口を閉止する第２蓋部と、前記第１蓋部における前記第２蓋部と対向する第１対向縁に設けられたロック受け部と、前記第２蓋部における前記第１蓋部と対向する第２対向縁に設けられ、前記ロック受け部に係止することで前記第２開口を閉止した状態に保持するロック部とを備えた構成とした。
【０００６】
このような構成によると、ロック部が第２対向縁に設けられ、幅方向両側縁に設けられていないから、第２蓋部が幅方向に大型化することを回避できる。
【０００７】
本明細書によって開示される端子カバーは、以下の構成としてもよい。
前記ロック部は、前記第２対向縁から前記第２収容部側に延出した後、前記第２蓋部側に折り返された形態をなす弾性片と、前記弾性片の自由端部から前記ロック受け部に沿って突出する形態をなす係止爪とを備えて構成されているものとしてもよい。
このようにすると、ロック部が第２蓋部の内部に収容されるから、ロック部を第２蓋部によって保護することができる。
【０００８】
前記第２収容部と前記第２蓋部は、第２ヒンジによって連結されており、前記ロック部は、前記第１蓋部の外面を超えて外方に突出する形態をなす操作片を備え、前記操作片が前記第２ヒンジ側に変位することで前記ロック部と前記ロック受け部の係止が解除される構成としてもよい。
このような構成によると、指を操作片に当てて第２ヒンジ側に変位させることでロック部とロック受け部との係止を解除した後、その指を操作片に当てた状態で第２蓋部をそのまま開くことができる。
【発明の効果】
【０００９】
本明細書によって開示される端子カバーによれば、第２蓋部が幅方向に大型化することを回避できる。
【図面の簡単な説明】
【００１０】
【図１】端子が内部に収容された端子カバーを斜め前方から見た斜視図
【図２】端子が内部に収容された端子カバーを上方から見た平面図
【図３】図２におけるＡ−Ａ線断面図
【図４】操作片を指で押して係止を解除した後、そのまま第２蓋部を開く様子を示した断面図
【図５】第１蓋部と第２蓋部がともに開いた状態を示した斜視図
【図６】端子カバーに端子を収容した状態を示した斜視図
【図７】ボルト締結部のボルト孔にボルトを通してナットを締め込んだ状態を示した斜視図
【図８】第１蓋部によって第１開口を閉止した後、第２蓋部によって第２開口を閉止する途中の状態を示した斜視図
【発明を実施するための形態】
【００１１】
＜実施形態＞
実施形態を図１から図８の図面を参照しながら説明する。本実施形態の端子カバー１０は、図１に示すように、電線Ｗの端末に接続された端子６０を内部に収容する部材である。端子６０は、図３に示すように、相手側部材７０に設けられたボルトＢを挿通させた状態でナットＮを締め込むことによって相手側部材７０に接続されている。ここでいう相手側部材７０としては、バッテリ、車両のボディ、機器に設けられた端子台などが含まれる。
【００１２】
端子６０は、図６に示すように、相手側部材７０にボルト締結されるボルト締結部６１と、電線Ｗの芯線Ｗ１に接続される芯線接続部６２と、電線Ｗの被覆Ｗ２に接続される被覆接続部６３とを備えて構成されている。ボルト締結部６１は、図３に示すように、ボルトＢを挿通させるボルト孔６４を有している。ボルト締結部６１は、ナットＮよりも一回り大きく、ナットＮをボルトＢに締め込むと、ナットＮと相手側部材７０の間にボルト締結部６１が挟持され、ボルト締結部６１と相手側部材７０が導通可能に接続される。
【００１３】
端子カバー１０は、図７に示すように、ボルト締結部６１が内部に収容される第２収容部４０と、芯線接続部６２および被覆接続部６３の双方が内部に収容される第１収容部２０と、第２収容部４０と第２ヒンジ１２を介して連結された第２蓋部５０と、第１収容部２０と第１ヒンジ１１を介して連結された第１蓋部３０とを備えて構成されている。
【００１４】
第１収容部２０と第２収容部４０は一体として構成されており、いずれも上方に開口する第１開口２２および第２開口４２を有している。第１収容部２０の第１開口２２と第２収容部４０の第２開口４２とは連続して設けられ、単一の開口として構成されている。
【００１５】
第１ヒンジ１１は、第１収容部２０の一側壁２１の上端部において前後方向に並んで一対設けられている。一方、第２ヒンジ１２は、第２収容部４０の前壁４１の上端部に一つだけ設けられている。このため、第１蓋部３０は、第１ヒンジ１１を中心として左右方向（端子カバー１０の幅方向）に回動可能とされ、第２蓋部５０は、第２ヒンジ１２を中心として前後方向に回動可能とされている。
【００１６】
以下において第１蓋部３０を構成する左右一対の側壁のうち一対の第１ヒンジ１１が連結されている側の側壁を一側壁３２とする。一方、第１蓋部３０における第１ヒンジ１１とは反対側に位置する他側壁３３には、一対の弾性係止片３１が設けられている。一対の弾性係止片３１は略門形をなして立ち上がる形態をなし、前後方向に並んで配されている。
【００１７】
第１収容部２０における第１ヒンジ１１とは反対側に位置する他側壁２３には、一対の弾性係止片３１がそれぞれ係止する一対の係止突起２４が設けられている。第１蓋部３０を第１ヒンジ１１を中心として回動させ、一対の弾性係止片３１が一対の係止突起２４に係止すると、第１蓋部３０が第１開口２２を閉止した状態となって第１収容部２０に対して保持される。
【００１８】
第１蓋部３０と第２蓋部５０をともに閉じた状態では、図２に示すように、第１蓋部３０の前縁３４と第２蓋部５０の後縁５１とが前後方向に対向した状態で配置される。図３に示すように、第２蓋部５０の後縁５１には、ロック部５２が設けられている。ロック部５２は、第２蓋部５０の後縁５１から下方に延出した後、上方に折り返された形態をなす弾性片５３と、弾性片５３の自由端部５４から後方に突出する形態をなす係止爪５５と、弾性片５３の自由端部５４から上方に突出する形態をなす操作片５６とを備えて構成されている。
【００１９】
一方、第１蓋部３０の前縁３４には、係止爪５５が下方から係止するロック受け部３５が設けられている。第１蓋部３０の前縁３４は、図６に示すように、第１蓋部３０から第１収容部２０側に突出するリブ状とされており、ロック受け部３５は、第１蓋部３０の前縁３４の一部を平面状に形成した部分とされている。また、図３に示すように、ロック部５２の係止爪５５の係止面は、ロック受け部３５に沿って後方に延びる形態とされている。したがって、第２蓋部５０を第２ヒンジ１２を中心として回動させ、ロック部５２の弾性片５３を変形させながら係止爪５５がロック受け部３５に係止すると、第２蓋部５０が第２開口４２を閉止した状態となって第２収容部４０に対して保持される。このとき、ロック部５２の操作片５６は第１蓋部３０の上面を超えて上方に突出しているため、操作片５６の解除操作がしやすいものとされている。
【００２０】
図２に示すように、第２蓋部５０の後縁５１に連なる両側縁５７には、一対の手持ち部５８が側方に張り出す態様で設けられている。手持ち部５８は、第２蓋部５０の側縁５７における後側に設けられ、一対の手持ち部５８の間にロック部５２が位置している。また、手持ち部５８の外周側面は、第２収容部４０の外周側面よりも内側に位置している。このように、本実施形態では第２蓋部５０の外周側面にロック部が設けられていないため、第２蓋部５０を幅方向に大幅に小型化できる。また、本実施形態のロック部５２は、図３に示すように、元々ナットＮと芯線接続部６２の間に存在していた空きスペースＳに配されているため、ロック部５２を設けたことによって端子カバー１０が前後方向に大型化することもない。
【００２１】
本実施形態は以上のような構成であって、続いてその作用を説明する。まず、端子カバー１０を端子６０に取り付ける作業について説明する。図５に示すように、第１蓋部３０と第２蓋部５０を開いた状態にしておき、予め電線Ｗの端末に接続させた端子６０を第１収容部２０の後方から端子カバー１０の内部に挿入していく。すると、図６に示すように、端子６０のボルト締結部６１が第２収容部４０の内部に収容されるとともに、端子６０の芯線接続部６２と被覆接続部６３が第１収容部２０の内部に収容される。
【００２２】
次に、相手側部材７０のボルトＢにボルト締結部６１を上方から組み付けて、ボルトＢがボルト孔６４を通ってボルト締結部６１を上下方向に貫通した状態にする。このボルトＢに対してナットＮを上方から締め込んでいくと、図７に示すように、ボルト締結部６１が相手側部材７０とナットＮの間に挟持され、ボルト締結部６１と相手側部材７０が導通可能に接続される。その後、第１蓋部３０を第１ヒンジ１１を中心として回動させ、第１収容部２０に組み付けると、図８に示すように、一対の弾性係止片３１が一対の係止突起２４に下方から係止し、第１開口２２が第１蓋部３０によって閉止された状態となる。
【００２３】
続けて、第２蓋部５０を第２ヒンジ１２を中心として回動させ、第２収容部４０に組み付けていく。ロック部５２が空きスペースＳに進入し、弾性片５３を撓ませつつ係止爪５５が第１蓋部３０の前縁３４を乗り越えると、図３に示すように、弾性片５３が自然状態に弾性的に復帰するとともに、ロック部５２の係止爪５５が第１蓋部３０のロック受け部３５に下方から係止し、第２開口４２が第２蓋部５０によって閉止された状態となる。このようにして、図１に示すように、端子６０が端子カバー１０の内部に収容される。
【００２４】
また、端子６０を相手側部材７０にボルト締結する作業を納入先で行う場合には、端子６０を端子カバー１０の内部に収容し、第２蓋部５０を閉じた状態で納入し、納入先で第２蓋部５０を再度開く必要がある。その際には、図４に示すように、例えば人指し指を操作片５６に当てて前方に押し込み、ロック部５２による係止を解除したまま、親指と中指で一対の手持ち部５８を摘んで、そのまま第２蓋部５０を斜め前方に開くことができる。このようにすれば、ロック部５２の係止解除操作と第２蓋部５０を開く作業とを、一連の動作として行うことができるため、作業効率を上げることができる。
【００２５】
以上のように本実施形態では、ロック部５２が第２対向縁（第２蓋部５０の後縁５１）に設けられ、幅方向両側縁５７に設けられていないから、第２蓋部５０が幅方向に大型化することを回避できる。
【００２６】
また、ロック部５２は、第２対向縁（第２蓋部５０の後縁５１）から第２収容部４０側に延出した後、第２蓋部５０側に折り返された形態をなす弾性片５３と、弾性片５３の自由端部５４からロック受け部３５に沿って突出する形態をなす係止爪５５とを備えて構成されているものとしてもよい。
このようにすると、ロック部５２が第２蓋部５０の内部に収容されるから、ロック部５２を第２蓋部５０によって保護することができる。
【００２７】
第２収容部４０と第２蓋部５０は、第２ヒンジ１２によって連結されており、ロック部５２は、第１蓋部３０の外面を超えて外方に突出する形態をなす操作片５６を備え、操作片５６が第２ヒンジ１２側に変位することでロック部５２とロック受け部３５の係止が解除される構成としてもよい。
このような構成によると、指を操作片５６に当てて第２ヒンジ１２側に変位させることでロック部５２とロック受け部３５との係止を解除した後、その指を操作片５６に当てた状態で第２蓋部５０をそのまま開くことができる。
【００２８】
＜他の実施形態＞
本明細書によって開示される技術は上記記述及び図面によって説明した実施形態に限定されるものではなく、例えば次のような種々の態様も含まれる。
（１）上記実施形態では略Ｕ字状に折り返された形態のロック部５２を例示しているものの、シーソー状に変位可能なロック部としてもよい。
【００２９】
（２）上記実施形態では第２収容部４０と第２蓋部５０が第２ヒンジ１２によって一体に連結されているものを例示したが、第２蓋部５０を第２収容部４０から取り外し可能に構成してもよい。
【００３０】
（３）上記実施形態では相手側部材７０にボルトＢが設けられているものの、相手側部材７０にねじ孔を設けておき、ねじ孔にボルトを締め込むようにしてもよい。
【符号の説明】
【００３１】
１０…端子カバー
１２…第２ヒンジ
２０…第１収容部
２２…第１開口
３０…第１蓋部
３４…前縁（第１対向縁）
３５…ロック受け部
４０…第２収容部
４２…第２開口
５０…第２蓋部
５１…後縁（第２対向縁）
５２…ロック部
５３…弾性片
５４…自由端部
５５…係止爪
５６…操作片
６０…端子
６２…芯線接続部（電線接続部）
６３…被覆接続部（電線接続部）
Ｗ…電線
【図１】
2017168288.tif 000003
【図２】
2017168288.tif 000004
【図３】
2017168288.tif 000005
【図４】
2017168288.tif 000006
【図５】
2017168288.tif 000007
【図６】
2017168288.tif 000008
【図７】
2017168288.tif 000009
【図８】
2017168288.tif 000010